【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
１つのバッテリの正極端子との接続に用いられると共に内部の正極側共通電源線と接続された第１電圧監視端子と、
前記バッテリの負極端子との接続に用いられると共に内部の負極側共通電源線第２電圧監視端子と、
第１送信端子と、
第２送信端子と、
第１受信端子と、
第２受信端子と、
セルバランス制御端子と、
前記バッテリ状態検出回路として、前記第１電圧監視端子と前記第２電圧監視端子との間の電圧に基づいて、前記バッテリが過充電状態か否かを検出し、当該検出結果を示す過充電検出信号を出力する過充電検出回路と、
前記バッテリ状態検出回路として、前記第１電圧監視端子と前記第２電圧監視端子との間の電圧に基づいて、前記バッテリが過放電状態か否かを検出し、当該検出結果を示す過放電検出信号を出力する過放電検出回路と、
前記バッテリ状態検出回路として、前記第１電圧監視端子と前記第２電圧監視端子との間の電圧に基づいて、前記バッテリをセルバランス制御する必要があるか否かを検出し、当該検出結果を示すセルバランス信号を前記セルバランス制御端子に出力するセルバランス回路と、
第一の入力が前記第１受信端子と接続され、第二の入力が前記過充電検出回路の出力に接続される第一論理回路と、
入力端子が前記正極側共通電源線と接続され、出力端子が前記第１受信端子と接続された第１電流源と、
前記第一論理回路の出力信号をゲート端子の入力とし、ソース端子が前記負極側共通電源線と接続されたｎチャネル型の第１トランジスタと、
第一の入力が前記第２受信端子と接続され、第二の入力が前記過放電検出回路の出力に接続される第二論理回路と、
入力端子が前記正極側共通電源線と接続され、出力端子が前記第２受信端子と接続された第２電流源と、
前記第二論理回路の出力信号をゲート端子の入力とし、ドレイン端子が前記第２送信端子と接続され、ソース端子が前記負極側共通電源線と接続されたｎチャネル型の第２トランジスタと、を備え、
前記第一送信端子と前記第１トランジスタのドレイン端子との間に、前記第１トランジスタの２端子間における寄生ダイオードに対して逆向きに接続されたダイオードを備える、ことを特徴とするバッテリ状態監視回路。
【請求項２】
１つのバッテリの正極端子との接続に用いられると共に内部の正極側共通電源線と接続された第１電圧監視端子と、
前記バッテリの負極端子との接続に用いられると共に内部の負極側共通電源線第２電圧監視端子と、
第１送信端子と、
第２送信端子と、
第１受信端子と、
第２受信端子と、
セルバランス制御端子と、
前記バッテリ状態検出回路として、前記第１電圧監視端子と前記第２電圧監視端子との間の電圧に基づいて、前記バッテリが過充電状態か否かを検出し、当該検出結果を示す過充電検出信号を出力する過充電検出回路と、
前記バッテリ状態検出回路として、前記第１電圧監視端子と前記第２電圧監視端子との間の電圧に基づいて、前記バッテリが過放電状態か否かを検出し、当該検出結果を示す過放電検出信号を出力する過放電検出回路と、
前記バッテリ状態検出回路として、前記第１電圧監視端子と前記第２電圧監視端子との間の電圧に基づいて、前記バッテリをセルバランス制御する必要があるか否かを検出し、当該検出結果を示すセルバランス信号を前記セルバランス制御端子に出力するセルバランス回路と、
第一の入力が前記第１受信端子と接続され、第二の入力が前記過充電検出回路の出力に接続される第一論理回路と、
前記第一論理回路の出力信号をゲート端子の入力とし、ソース端子が前記正極側共通電源線と接続されたｐチャネル型の第１トランジスタと、
入力端子が前記第１受信端子と接続され、出力端子が前記負極側共通電源線と接続された第１電流源と、
入力端子が前記第１受信端子と接続された第２論理反転回路と、
前記過充電検出信号と前記第２論理反転回路の出力信号とを入力とし、これら両信号の否定論理和信号を前記第１論理反転回路に出力する第１否定論理和回路と、
第一の入力が前記第２受信端子と接続され、第二の入力が前記過放電検出回路の出力に接続される第二論理回路と、
前記第二論理回路の出力信号をゲート端子の入力とし、ドレイン端子が前記第２送信端子と接続され、ソース端子が前記正極側共通電源線と接続されたｐチャネル型の第２トランジスタと、
入力端子が前記第２受信端子と接続され、出力端子が前記負極側共通電源線と接続された第２電流源と、を備え、
前記第一送信端子と前記第１トランジスタのドレイン端子との間に、前記第１トランジスタの２端子間における寄生ダイオードに対して逆向きに接続されたダイオードを備える、ことを特徴とするバッテリ状態監視回路。
【請求項３】
アノード端子が前記負極側共通電源線と接続され、カソード端子が前記第１トランジスタのドレイン端子と接続されており、前記バッテリ状態監視回路の耐圧を越える電圧に相当する逆方向電圧が印加された場合に逆方向電流を流す特性を有する第１クランプ用ダイオードと、
アノード端子が前記負極側共通電源線と接続され、カソード端子が前記第１電流源の出力端子と接続された第２クランプ用ダイオードと、
アノード端子が前記負極側共通電源線と接続され、カソード端子が前記第２トランジスタのドレイン端子と接続されており、前記バッテリ状態監視回路の耐圧を越える電圧に相当する逆方向電圧が印加された場合に逆方向電流を流す特性を有する第３クランプ用ダイオードと、
アノード端子が前記負極側共通電源線と接続され、カソード端子が前記第２電流源の出力端子と接続された第４クランプ用ダイオードと、
を備えることを特徴とする請求項１記載のバッテリ状態監視回路。
【請求項４】
アノード端子が前記第１トランジスタのドレイン端子と接続され、カソード端子が前記正極側共通電源線と接続されており、前記バッテリ状態監視回路の耐圧を越える電圧に相当する逆方向電圧が印加された場合に逆方向電流を流す特性を有する第１クランプ用ダイオードと、
アノード端子が前記第１電流源の入力端子と接続され、カソード端子が前記正極側共通電源線と接続された第２クランプ用ダイオードと、
アノード端子が前記第２トランジスタのドレイン端子と接続され、カソード端子が前記正極側共通電源線と接続されており、前記バッテリ状態監視回路の耐圧を越える電圧に相当する逆方向電圧が印加された場合に逆方向電流を流す特性を有する第３クランプ用ダイオードと、
アノード端子が前記第２電流源の入力端子と接続され、カソード端子が前記正極側共通電源線と接続された第４クランプ用ダイオードと、
を備えることを特徴とする請求項２記載のバッテリ状態監視回路。
【請求項５】
前記第２クランプ用ダイオードのカソード端子と前記第１受信端子との間に接続された第１抵抗素子と、
前記第４クランプ用ダイオードのカソード端子と前記第２受信端子との間に接続された第２抵抗素子と、
を備えることを特徴とする請求項３記載のバッテリ状態監視回路。
【請求項６】
前記第１クランプ用ダイオードのアノード端子と前記第１送信端子との間に接続された第１抵抗素子と、
前記第３クランプ用ダイオードのアノード端子と前記第２送信端子との間に接続された第２抵抗素子と、
を備えることを特徴とする請求項４記載のバッテリ状態監視回路。
【請求項７】
直列接続された複数のバッテリと、
前記複数のバッテリの各々に対応して設けられた請求項１または５に記載のバッテリ状態監視回路と、
前記複数のバッテリの各々に並列接続され、各バッテリに対応する前記バッテリ状態監視回路のセルバランス制御端子から出力されるセルバランス信号に応じて２端子間の接続／非接続を切り替えるセルバランス用スイッチ回路と、
第１外部端子と、
第２外部端子と、
充電用ｐチャネル型トランジスタと、
放電用ｐチャネル型トランジスタと、
一端が前記充電用ｐチャネル型トランジスタのゲート端子と接続され、他端が前記充電用ｐチャネル型トランジスタのソース端子と接続された第１バイアス用抵抗素子と、
一端が前記放電用ｐチャネル型トランジスタのゲート端子と接続され、他端が前記放電用ｐチャネル型トランジスタのソース端子と接続された第２バイアス用抵抗素子と、
を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と接続され、第２送信端子は隣接する一方のバッテリ状態監視回路の第２受信端子と接続され、前記第１受信端子は隣接する他方のバッテリ状態監視回路の第１送信端子と接続され、第２受信端子は隣接する他方のバッテリ状態監視回路の第２送信端子と接続されており、
直列接続されたバッテリの内の一端のバッテリに対応するバッテリ状態監視回路の第１送信端子は前記充電用ｐチャネル型トランジスタのゲート端子と接続され、第２送信端子は前記放電用ｐチャネル型トランジスタのゲート端子と接続され、
前記放電電用ｐチャネル型トランジスタのソース端子は前記一端のバッテリの正極端子と接続され、ドレイン端子は前記充電電用ｐチャネル型トランジスタのドレイン端子と接続され、前記充電用ｐチャネル型トランジスタのソース端子は前記第１外部端子と接続され、
直列接続されたバッテリの内の他端のバッテリの負極端子は前記第２外部端子と接続され、
前記他端のバッテリに対応するバッテリ状態監視回路の第１受信端子及び第２受信端子は前記他端のバッテリの負極端子と接続されている、
ことを特徴とするバッテリ装置。
【請求項８】
直列接続された複数のバッテリと、
前記複数のバッテリの各々に対応して設けられた請求項２または６に記載のバッテリ状態監視回路と、
前記複数のバッテリの各々に並列接続され、各バッテリに対応する前記バッテリ状態監視回路のセルバランス制御端子から出力されるセルバランス信号に応じて２端子間の接続／非接続を切り替えるセルバランス用スイッチ回路と、
第１外部端子と、
第２外部端子と、
充電用ｎチャネル型トランジスタと、
放電用ｎチャネル型トランジスタと、
一端が前記充電用ｎチャネル型トランジスタのゲート端子と接続され、他端が前記充電用ｎチャネル型トランジスタのソース端子と接続された第１バイアス用抵抗素子と、
一端が前記放電用ｎチャネル型トランジスタのゲート端子と接続され、他端が前記放電用ｎチャネル型トランジスタのソース端子と接続された第２バイアス用抵抗素子と、
を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と接続され、第２送信端子は隣接する一方のバッテリ状態監視回路の第２受信端子と接続され、前記第１受信端子は隣接する他方のバッテリ状態監視回路の第１送信端子と接続され、第２受信端子は隣接する他方のバッテリ状態監視回路の第２送信端子と接続されており、
直列接続されたバッテリの内の一端のバッテリの正極端子は前記第１外部端子と接続され、
前記一端のバッテリに対応するバッテリ状態監視回路の第１受信端子及び第２受信端子は前記一端のバッテリの正極端子と接続され、
直列接続されたバッテリの内の他端のバッテリに対応するバッテリ状態監視回路の第１送信端子は前記充電用ｎチャネル型トランジスタのゲート端子と接続され、第２送信端子は前記放電用ｎチャネル型トランジスタのゲート端子と接続され、
前記放電用ｎチャネル型トランジスタのソース端子は前記他端のバッテリの負極端子と接続され、ドレイン端子は前記充電用ｎチャネル型トランジスタのドレイン端子と接続され、前記充電用ｎチャネル型トランジスタのソース端子は前記第２外部端子と接続されている、
ことを特徴とするバッテリ装置。
【請求項９】
直列接続された複数のバッテリと、
前記複数のバッテリの各々に対応して設けられた請求項３記載のバッテリ状態監視回路と、
前記複数のバッテリの各々に並列接続され、各バッテリに対応する前記バッテリ状態監視回路のセルバランス制御端子から出力されるセルバランス信号に応じて２端子間の接続／非接続を切り替えるセルバランス用スイッチ回路と、
第１外部端子と、
第２外部端子と、
充電用ｐチャネル型トランジスタと、
放電用ｐチャネル型トランジスタと、
一端が前記充電用ｐチャネル型トランジスタのゲート端子と接続され、他端が前記充電用ｐチャネル型トランジスタのソース端子と接続された第１バイアス用抵抗素子と、
一端が前記放電用ｐチャネル型トランジスタのゲート端子と接続され、他端が前記放電用ｐチャネル型トランジスタのソース端子と接続された第２バイアス用抵抗素子と、
を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と抵抗素子を介して接続され、第２送信端子は隣接する一方のバッテリ状態監視回路の第２受信端子と抵抗素子を介して接続され、前記第１受信端子は隣接する他方のバッテリ状態監視回路の第１送信端子と抵抗素子を介して接続され、第２受信端子は隣接する他方のバッテリ状態監視回路の第２送信端子と抵抗素子を介して接続されており、
直列接続されたバッテリの内の一端のバッテリに対応するバッテリ状態監視回路の第１送信端子は前記充電用ｐチャネル型トランジスタのゲート端子と接続され、第２送信端子は前記放電用ｐチャネル型トランジスタのゲート端子と接続され、
前記放電用ｐチャネル型トランジスタのソース端子は前記一端のバッテリの正極端子と接続され、ドレイン端子は前記充電用ｐチャネル型トランジスタのドレイン端子と接続され、前記充電用ｐチャネル型トランジスタのソース端子は前記第１外部端子と接続され、
直列接続されたバッテリの内の他端のバッテリの負極端子は前記第２外部端子と接続され、
前記他端のバッテリに対応するバッテリ状態監視回路の第１受信端子及び第２受信端子は前記他端のバッテリの負極端子と接続されている、
ことを特徴とするバッテリ装置。
【請求項１０】
直列接続された複数のバッテリと、
前記複数のバッテリの各々に対応して設けられた請求項４記載のバッテリ状態監視回路と、
前記複数のバッテリの各々に並列接続され、各バッテリに対応する前記バッテリ状態監視回路のセルバランス制御端子から出力されるセルバランス信号に応じて２端子間の接続／非接続を切り替えるセルバランス用スイッチ回路と、
第１外部端子と、
第２外部端子と、
充電用ｎチャネル型トランジスタと、
放電用ｎチャネル型トランジスタと、
一端が前記充電用ｎチャネル型トランジスタのゲート端子と接続され、他端が前記充電用ｎチャネル型トランジスタのソース端子と接続された第１バイアス用抵抗素子と、
一端が前記放電用ｎチャネル型トランジスタのゲート端子と接続され、他端が前記放電用ｎチャネル型トランジスタのソース端子と接続された第２バイアス用抵抗素子と、
を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と抵抗素子を介して接続され、第２送信端子は隣接する一方のバッテリ状態監視回路の第２受信端子と抵抗素子を介して接続され、前記第１受信端子は隣接する他方のバッテリ状態監視回路の第１送信端子と抵抗素子を介して接続され、第２受信端子は隣接する他方のバッテリ状態監視回路の第２送信端子と抵抗素子を介して接続されており、
直列接続されたバッテリの内の一端のバッテリの正極端子は前記第１外部端子と接続され、
前記一端のバッテリに対応するバッテリ状態監視回路の第１受信端子及び第２受信端子は前記一端のバッテリの正極端子と接続され、
直列接続されたバッテリの内の他端のバッテリに対応するバッテリ状態監視回路の第１送信端子は前記充電用ｎチャネル型トランジスタのゲート端子と接続され、第２送信端子は前記放電用ｎチャネル型トランジスタのゲート端子と接続され、
前記放電用ｎチャネル型トランジスタのソース端子は前記他端のバッテリの負極端子と接続され、ドレイン端子は前記充電用ｎチャネル型トランジスタのドレイン端子と接続され、前記充電用ｎチャネル型トランジスタのソース端子は前記第２外部端子と接続されている、
ことを特徴とするバッテリ装置。
【請求項１１】
直列接続された複数のバッテリと、
前記複数のバッテリの各々に対応して設けられ、対応するバッテリの電圧に基づいて当該バッテリが過充電状態か否かを検出する過充電検出回路と、前記バッテリの電圧に基づいて前記バッテリが過放電状態か否かを検出する過放電検出回路と、前記過充電状態を示す過充電情報を外部に送信するための第１送信端子と、外部から他のバッテリの過充電情報を受信するための第１受信端子と、前記過放電状態を示す過放電情報を外部に送信するための第２送信端子と、外部から他のバッテリの過放電情報を受信するための第２受信端子と、前記過充電情報の送信のために用いられると共に制御端子を除く他の２端子の内のいずれか一方の端子が前記第１送信端子と接続された第１トランジスタと、前記過放電情報の送信のために用いられると共に制御端子を除く他の２端子の内のいずれか一方の端子が前記第２送信端子と接続された第２トランジスタと、を備えるバッテリ状態監視回路と、
直列接続されたバッテリの内の一端のバッテリに対応するバッテリ状態監視回路の第１送信端子から送信される過充電情報を制御端子の入力とし、当該過充電情報に基づいて前記複数のバッテリの充電の許可または禁止を切り替える充電用スイッチ回路と、
前記充電用スイッチ回路よりバッテリ側に設けられ、前記一端のバッテリに対応するバッテリ状態監視回路の第２送信端子から送信される過放電情報を制御端子の入力とし、当該過放電情報に基づいて前記複数のバッテリの放電の許可または禁止を切り替える放電用スイッチ回路と、
前記第１送信端子と前記充電用スイッチ回路の制御端子との間に、前記第１トランジスタの２端子間における寄生ダイオードに対して逆向きに接続されたダイオードと、
を備え、
前記バッテリ状態監視回路の前記第１送信端子は隣接する一方のバッテリ状態監視回路の第１受信端子と接続され、前記第２送信端子は隣接する一方のバッテリ状態監視回路の第２受信端子と接続され、前記第１受信端子は隣接する他方のバッテリ状態監視回路の第１送信端子と接続され、第２受信端子は隣接する他方のバッテリ状態監視回路の第２送信端子と接続されている、
ことを特徴とするバッテリ装置。
【請求項１２】
直列接続された複数のバッテリと、
前記複数のバッテリの各々に対応して設けられ、
１つのバッテリの正極端子との接続に用いられると共に内部の正極側共通電源線と接続された第１電圧監視端子と、
前記バッテリの負極端子との接続に用いられると共に内部の負極側共通電源線第２電圧監視端子と、
第１送信端子と、
第２送信端子と、
第１受信端子と、
第２受信端子と、
セルバランス制御端子と、
前記第１電圧監視端子と前記第２電圧監視端子との間の電圧に基づいて、前記バッテリが過充電状態か否かを検出し、当該検出結果を示す過充電検出信号を出力する過充電検出回路と、
前記第１電圧監視端子と前記第２電圧監視端子との間の電圧に基づいて、前記バッテリが過放電状態か否かを検出し、当該検出結果を示す過放電検出信号を出力する過放電検出回路と、
前記第１電圧監視端子と前記第２電圧監視端子との間の電圧に基づいて、前記バッテリをセルバランス制御する必要があるか否かを検出し、当該検出結果を示すセルバランス信号を前記セルバランス制御端子に出力するセルバランス回路と、
第一の入力が前記第１受信端子と接続され、第二の入力が前記過充電検出回路の出力に接続される第一論理回路と、
入力端子が前記正極側共通電源線と接続され、出力端子が前記第１受信端子と接続された第１電流源と、
前記第一論理回路の出力信号をゲート端子の入力とし、ドレイン端子が前記第１送信端子と接続され、ソース端子が前記負極側共通電源線と接続されたｎチャネル型の第１トランジスタと、
第一の入力が前記第２受信端子と接続され、第二の入力が前記過放電検出回路の出力に接続される第二論理回路と、
入力端子が前記正極側共通電源線と接続され、出力端子が前記第２受信端子と接続された第２電流源と、
前記第二論理回路の出力信号をゲート端子の入力とし、ドレイン端子が前記第２送信端子と接続され、ソース端子が前記負極側共通電源線と接続されたｎチャネル型の第２トランジスタと、を備えるバッテリ状態監視回路と、
前記複数のバッテリの各々に並列接続され、各バッテリに対応する前記バッテリ状態監視回路のセルバランス制御端子から出力されるセルバランス信号に応じて２端子間の接続／非接続を切り替えるセルバランス用スイッチ回路と、
第１外部端子と、
第２外部端子と、
充電用ｐチャネル型トランジスタと、
放電用ｐチャネル型トランジスタと、
一端が前記充電用ｐチャネル型トランジスタのゲート端子と接続され、他端が前記充電用ｐチャネル型トランジスタのソース端子と接続された第１バイアス用抵抗素子と、
一端が前記放電用ｐチャネル型トランジスタのゲート端子と接続され、他端が前記放電用ｐチャネル型トランジスタのソース端子と接続された第２バイアス用抵抗素子と、
アノード端子が前記充電用チャネル型トランジスタのゲート端子と接続されたダイオードと、
を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と接続され、第２送信端子は隣接する一方のバッテリ状態監視回路の第２受信端子と接続され、前記第１受信端子は隣接する他方のバッテリ状態監視回路の第１送信端子と接続され、第２受信端子は隣接する他方のバッテリ状態監視回路の第２送信端子と接続されており、
直列接続されたバッテリの内の一端のバッテリに対応するバッテリ状態監視回路の第１送信端子は前記ダイオードのカソード端子と接続され、第２送信端子は前記放電用ｐチャネル型トランジスタのゲート端子と接続され、
前記放電用ｐチャネル型トランジスタのソース端子は前記一端のバッテリの正極端子と接続され、ドレイン端子は前記充電用ｐチャネル型トランジスタのドレイン端子と接続され、前記充電用ｐチャネル型トランジスタのソース端子は前記第１外部端子と接続され、
直列接続されたバッテリの内の他端のバッテリの負極端子は前記第２外部端子と接続され、
前記他端のバッテリに対応するバッテリ状態監視回路の第１受信端子及び第２受信端子は前記他端のバッテリの負極端子と接続されている、
ことを特徴とするバッテリ装置。
【請求項１３】
直列接続された複数のバッテリと、
前記複数のバッテリの各々に対応して設けられ、
１つのバッテリの正極端子との接続に用いられると共に内部の正極側共通電源線と接続された第１電圧監視端子と、
前記バッテリの負極端子との接続に用いられると共に内部の負極側共通電源線第２電圧監視端子と、
第１送信端子と、
第２送信端子と、
第１受信端子と、
第２受信端子と、
セルバランス制御端子と、
前記第１電圧監視端子と前記第２電圧監視端子との間の電圧に基づいて、前記バッテリが過充電状態か否かを検出し、当該検出結果を示す過充電検出信号を出力する過充電検出回路と、
前記第１電圧監視端子と前記第２電圧監視端子との間の電圧に基づいて、前記バッテリが過放電状態か否かを検出し、当該検出結果を示す過放電検出信号を出力する過放電検出回路と、
前記第１電圧監視端子と前記第２電圧監視端子との間の電圧に基づいて、前記バッテリをセルバランス制御する必要があるか否かを検出し、当該検出結果を示すセルバランス信号を前記セルバランス制御端子に出力するセルバランス回路と、
第一の入力が前記第１受信端子と接続され、第二の入力が前記過充電検出回路の出力に接続される第一論理回路と、
前記第一論理回路の出力信号をゲート端子の入力とし、ドレイン端子が前記第１送信端子と接続され、ソース端子が前記正極側共通電源線と接続されたｐチャネル型の第１トランジスタと、
入力端子が前記第１受信端子と接続され、出力端子が前記負極側共通電源線と接続された第１電流源と、
第一の入力が前記第２受信端子と接続され、第二の入力が前記過放電検出回路の出力に接続される第二論理回路と、
前記第二論理回路の出力信号をゲート端子の入力とし、ドレイン端子が前記第２送信端子と接続され、ソース端子が前記正極側共通電源線と接続されたｐチャネル型の第２トランジスタと、
入力端子が前記第２受信端子と接続され、出力端子が前記負極側共通電源線と接続された第２電流源と、を備えるバッテリ状態監視回路と、
前記複数のバッテリの各々に並列接続され、各バッテリに対応する前記バッテリ状態監視回路の制御端子から出力されるセルバランス信号に応じて２端子間の接続／非接続を切り替えるセルバランス用スイッチ回路と、
第１外部端子と、
第２外部端子と、
充電用ｎチャネル型トランジスタと、
放電用ｎチャネル型トランジスタと、
一端が前記充電用ｎチャネル型トランジスタのゲート端子と接続され、他端が前記充電用ｎチャネル型トランジスタのソース端子と接続された第１バイアス用抵抗素子と、
一端が前記放電用ｎチャネル型トランジスタのゲート端子と接続され、他端が前記放電用ｎチャネル型トランジスタのソース端子と接続された第２バイアス用抵抗素子と、
カソード端子が前記充電用チャネル型トランジスタのゲート端子と接続されたダイオードと、
を備え、
前記バッテリ状態監視回路の第１電圧監視端子は各々に対応するバッテリの正極端子と接続され、前記第２電圧監視端子は各々に対応するバッテリの負極端子と接続され、前記第１送信端子は隣接する一方のバッテリ状態監視回路の第１受信端子と接続され、第２送信端子は隣接する一方のバッテリ状態監視回路の第２受信端子と接続され、前記第１受信端子は隣接する他方のバッテリ状態監視回路の第１送信端子と接続され、第２受信端子は隣接する他方のバッテリ状態監視回路の第２送信端子と接続されており、
直列接続されたバッテリの内の一端のバッテリの正極端子は前記第１外部端子と接続され、
前記一端のバッテリに対応するバッテリ状態監視回路の第１受信端子及び第２受信端子は前記一端のバッテリの正極端子と接続され、
直列接続されたバッテリの内の他端のバッテリに対応するバッテリ状態監視回路の第１送信端子は前記ダイオードのアノード端子と接続され、第２送信端子は前記放電用ｎチャネル型トランジスタのゲート端子と接続され、
前記放電用ｎチャネル型トランジスタのソース端子は前記他端のバッテリの負極端子と接続され、ドレイン端子は前記充電用ｎチャネル型トランジスタのドレイン端子と接続され、前記充電用ｎチャネル型トランジスタのソース端子は前記第２外部端子と接続されている、
ことを特徴とするバッテリ装置。
【請求項１４】
前記バッテリ状態監視回路は、
アノード端子が前記負極側共通電源線と接続され、カソード端子が前記第１トランジスタのドレイン端子と接続されており、前記バッテリ状態監視回路の耐圧を越える電圧に相当する逆方向電圧が印加された場合に逆方向電流を流す特性を有する第１クランプ用ダイオードと、
アノード端子が前記負極側共通電源線と接続され、カソード端子が前記第１電流源の出力端子と接続された第２クランプ用ダイオードと、
アノード端子が前記負極側共通電源線と接続され、カソード端子が前記第２トランジスタのドレイン端子と接続されており、前記バッテリ状態監視回路の耐圧を越える電圧に相当する逆方向電圧が印加された場合に逆方向電流を流す特性を有する第３クランプ用ダイオードと、
アノード端子が前記負極側共通電源線と接続され、カソード端子が前記第２電流源の出力端子と接続された第４クランプ用ダイオードと、
を備え、
前記バッテリ状態監視回路における前記第１送信端子は隣接する一方のバッテリ状態監視回路の第１受信端子と抵抗素子を介して接続され、第２送信端子は隣接する一方のバッテリ状態監視回路の第２受信端子と抵抗素子を介して接続され、前記第１受信端子は隣接する他方のバッテリ状態監視回路の第１送信端子と抵抗素子を介して接続され、第２受信端子は隣接する他方のバッテリ状態監視回路の第２送信端子と抵抗素子を介して接続されていることを特徴とする請求項１２記載のバッテリ装置。
【請求項１５】
前記バッテリ状態監視回路は、
アノード端子が前記第１トランジスタのドレイン端子と接続され、カソード端子が前記正極側共通電源線と接続されており、前記バッテリ状態監視回路の耐圧を越える電圧に相当する逆方向電圧が印加された場合に逆方向電流を流す特性を有する第１クランプ用ダイオードと、
アノード端子が前記第１電流源の入力端子と接続され、カソード端子が前記正極側共通電源線と接続された第２クランプ用ダイオードと、
アノード端子が前記第２トランジスタのドレイン端子と接続され、カソード端子が前記正極側共通電源線と接続されており、前記バッテリ状態監視回路の耐圧を越える電圧に相当する逆方向電圧が印加された場合に逆方向電流を流す特性を有する第３クランプ用ダイオードと、
アノード端子が前記第２電流源の入力端子と接続され、カソード端子が前記正極側共通電源線と接続された第４クランプ用ダイオードと、
を備え、
前記バッテリ状態監視回路における前記第１送信端子は隣接する一方のバッテリ状態監視回路の第１受信端子と抵抗素子を介して接続され、第２送信端子は隣接する一方のバッテリ状態監視回路の第２受信端子と抵抗素子を介して接続され、前記第１受信端子は隣接する他方のバッテリ状態監視回路の第１送信端子と抵抗素子を介して接続され、第２受信端子は隣接する他方のバッテリ状態監視回路の第２送信端子と抵抗素子を介して接続されていることを特徴とする請求項１３記載のバッテリ装置。
【請求項１６】
前記バッテリ状態監視回路は、
アノード端子が前記負極側共通電源線と接続され、カソード端子が前記第１トランジスタのドレイン端子と接続されており、前記バッテリ状態監視回路の耐圧を越える電圧に相当する逆方向電圧が印加された場合に逆方向電流を流す特性を有する第１クランプ用ダイオードと、
アノード端子が前記負極側共通電源線と接続され、カソード端子が前記第１電流源の出力端子と接続された第２クランプ用ダイオードと、
アノード端子が前記負極側共通電源線と接続され、カソード端子が前記第２トランジスタのドレイン端子と接続されており、前記バッテリ状態監視回路の耐圧を越える電圧に相当する逆方向電圧が印加された場合に逆方向電流を流す特性を有する第３クランプ用ダイオードと、
アノード端子が前記負極側共通電源線と接続され、カソード端子が前記第２電流源の出力端子と接続された第４クランプ用ダイオードと
前記第２クランプ用ダイオードのカソード端子と前記第１受信端子との間に接続された第１抵抗素子と、
前記第４クランプ用ダイオードのカソード端子と前記第２受信端子との間に接続された第２抵抗素子と、
を備えることを特徴とする請求項１２記載のバッテリ装置。
【請求項１７】
前記バッテリ状態監視回路は、
アノード端子が前記第１トランジスタのドレイン端子と接続され、カソード端子が前記正極側共通電源線と接続されており、前記バッテリ状態監視回路の耐圧を越える電圧に相当する逆方向電圧が印加された場合に逆方向電流を流す特性を有する第１クランプ用ダイオードと、
アノード端子が前記第１電流源の入力端子と接続され、カソード端子が前記正極側共通電源線と接続された第２クランプ用ダイオードと、
アノード端子が前記第２トランジスタのドレイン端子と接続され、カソード端子が前記正極側共通電源線と接続されており、前記バッテリ状態監視回路の耐圧を越える電圧に相当する逆方向電圧が印加された場合に逆方向電流を流す特性を有する第３クランプ用ダイオードと、
アノード端子が前記第２電流源の入力端子と接続され、カソード端子が前記正極側共通電源線と接続された第４クランプ用ダイオードと、
前記第１クランプ用ダイオードのアノード端子と前記第１送信端子との間に接続された第１抵抗素子と、
前記第３クランプ用ダイオードのアノード端子と前記第２送信端子との間に接続された第２抵抗素子と、
を備えることを特徴とする請求項１３記載のバッテリ装置。